(57)【要約】  【課題】  他のプリント配線基板との噴流半田による半田付けに際して、導電部間の短絡をより確実に防止し、また両プリント配線基板間の機械的な結合強度をより強固にすることが可能であり、更に噴流半田の噴流方向を考慮する必要がないプリント配線基板を提供する。  【解決手段】  第１基板１０の延出部１４に形成された複数の導電部１５それぞれに切り込み部１６が設けられており。延出部１４が第２基板２０に設けられたスリット２１に挿入された状態では切り込み部１６の底部が第２基板２０上で凹部１３になる。従って、噴流半田は切り込み部１６を通り抜けるので半田ブリッジによる短絡が生じ難く、また延出部１４のいずれの側からも噴流半田を噴流させることができる。更に、凹部１３にも半田が流れ込んで固着するので、非常に強固に両基板１０、２０が固定される。【選択図】        図２
2006269550.tif 000002
【特許請求の範囲】
【請求項１】
電子回路を含む本体から延出された延出部に形成された複数の導電部が他のプリント配線基板に半田付されて実装されるプリント配線基板において、
前記複数の導電部それぞれに対応して前記延出部に切り込み部を設けたことを特徴とするプリント配線基板。
【請求項２】
前記切り込み部は前記複数の導電部それぞれに設けられていることを特徴とする請求項１に記載のプリント配線基板。
【請求項３】
前記切り込み部の内側面が導電性の材料で覆われていることを特徴とする請求項２に記載のプリント配線基板。
【請求項４】
電子回路を含む本体から延出された延出部に形成された複数の導電部が他のプリント配線基板に半田付けされて実装されるプリント配線基板において、
前記複数の導電部それぞれに貫通孔を設けたことを特徴とするプリント配線基板。
【請求項５】
前記貫通孔の内側面が導電性の材料で覆われていることを特徴とする請求項４に記載のプリント配線基板。
【請求項６】
他のプリント配線基板の電子回路を含む本体から延出された延出部が挿入されるスリットを有し、該スリットの周囲に形成された複数の導電部が前記他のプリント配線基板に半田付けされる前記他のプリント配線基板を実装するプリント配線基板において、
前記スリットの周囲に形成された複数の導電部それぞれに切り込み及び／又は貫通孔を設けたことを特徴とするプリント配線基板。
【請求項７】
前記切り込み部及び／又は貫通孔の内側面が導電性の材料で覆われていることを特徴とする請求項６に記載のプリント配線基板。
【請求項８】
請求項１乃至３のいずれか一つに記載のプリント配線基板の前記延出部が挿入されるスリットと、該スリットに前記延出部が挿入された場合に前記延出部に形成された複数の導電部とそれぞれ半田付けされる複数の導電部とを前記他のプリント配線基板に設け、前記スリットに前記延出部が挿入された場合に前記切り込み部が前記他のプリント配線基板の表面に凹部を形成するようにしたことを特徴とするプリント配線基板の取り付け構造。
【請求項９】
請求項４又は５に記載のプリント配線基板の前記延出部が挿入されるスリットと、該スリットに前記延出部が挿入された場合に前記延出部に形成された複数の導電部とそれぞれ半田付けされる複数の導電部とを前記他のプリント配線基板に設け、前記スリットに前記延出部が挿入された場合に前記貫通孔が前記他のプリント配線基板の表面に凹部を形成するようにしたことを特徴とするプリント配線基板の取り付け構造。
【発明の詳細な説明】
【技術分野】
【０００１】
本発明は他のプリント配線基板上に形成された導電部に、自身に形成されている導電部を半田付けにより固定して接続するようにしたプリント配線基板に関し、またそのようなプリント配線基板を他のプリント配線基板に取り付けるための構造に関する。
【背景技術】
【０００２】
比較的大きなプリント配線基板に比較的小さなプリント配線基板を直交する状態で接続して実装する場合がある。このような場合、一方のプリント配線基板にスリットを設け、このスリットに他方のプリント配線基板の端部を挿通して突出させた状態で、両プリント配線基板相互の導電部同士を半田付けすれば、両プリント配線基板間の電気的接続を確保すると共に両プリント配線基板同士の機械的な固定も可能になる。しかし、上述のような場合の半田付けはいわゆる噴流半田（フローディップ半田）の塗着によるが、従来は隣接する導電部間が半田ブリッジによって短絡され易いという問題があった。
【０００３】
このような事情からたとえば特許文献１に開示されている発明が提案されている。図９はこの特許文献１に開示されている発明を説明するための模式図である。一方のプリント配線基板２０にはスリット２１が直線状に複数設けられている。そして、この複数のスリット２１に他方のプリント配線基板１０から突出して設けられた複数の基板延出部１４が一方のプリント配線基板２０の下面から上面へ向けて挿通されており、各基板延出部１４の先端はプリント配線基板２０を貫通して突出している。他方のプリント配線基板１０の各延出部１４の一面の両側部には一対の端子部（導電部）１５、１５が設けられている。これらの端子部１５がプリント配線基板２０のスリット２１に設けられたランド（導電部）２２と噴流半田の塗着によって半田付けされることにより、両プリント配線基板２０、１０間の電気的接続と機械的固定とが半田塊２３により同時に達成される。
【０００４】
また、この特許文献１に開示されている発明では、各基板延出部１４の両側部に設けられた一対の端子部１５、１５間の部分に透孔１９が各基板延出部１４を貫通して設けられている。従って、半田付けに際しては噴流半田がこの透孔１９を通り抜けるので、透孔１９の両側に位置する一対の端子部１５、１５間が半田で短絡される可能性は低くなる。また、各基板延出部１４は櫛の歯状に分離されて一方のプリント配線基板２０から突出しているので、噴流半田はこれらの各基板延出部１４間をも通り抜けることになり、隣接する基板延出部１４間の端子部１５、１５間の短絡も生じ難い。
【０００５】
更に特許文献２には、プリント配線基板の配線パターンにミニモールドタイプの電子部品の端子を自動半田付けするために、プリント配線基板の配線パターンの先端部にスルーホールを設けた発明が開示されている。この特許文献２に開示された発明では、プリント配線基板の配線パターンの先端部に設けられたスルーホールに余剰な半田を吸収させることによって半田ブリッジが形成されることが防止されるとしている。
【０００６】
また更に特許文献３には、プリント配線基板が半田リフロー装置から出た直後に半田付けした面を下面にして高温の加圧空気を噴射することにより、余分な半田ボールを吹き飛ばして除去する発明が開示されている。
【０００７】
なお、特許文献４には、上述した各特許文献において使用されるリフロー半田付け装置の一例が開示されている。
【特許文献１】特開２００１−８５８１３号公報
【特許文献２】特開平２−５２４９０号公報
【特許文献３】特開平２−３０５４３１号公報
【特許文献４】特開平５−１５４６４９号公報
【発明の開示】
【発明が解決しようとする課題】
【０００８】
ところで、上述した特許文献１に記載の発明では、各基板延出部に設けられた透孔が比較的小さいため、噴流半田がこの透孔を確実に通り抜けるという保証はなく、各基板延出部の両側部に設けられた１つの端子部間の短絡が生じる虞があり得る。また特許文献１に開示されている発明では、各基板延出部の端子部が設けられている面の側からのみ噴流半田を流すことができるが、このことは半田付けに際しては噴流半田の噴流の方向と基板突出部の向きとを一致させる必要があり、作業性の低下を招来する。
【０００９】
更に、特許文献１に開示されている発明では、両プリント配線基板間の半田付けは一方の基板の各基板突出部の一面でのみ、しかもいわゆる芋付け状態で行なわれているので、機械的な強度が十分とはいえないのが実情であった。
【００１０】
また、特許文献２及び３に開示されている発明は、プリント配線基板に電子部品を半田付けするための技術であり、特許文献１に開示されているような、プリント配線基板同士を半田付けするための技術ではない。
【００１１】
本発明は以上のような事情に鑑みてなされたものであり、他のプリント配線基板との噴流半田による半田付けに際して、導電部間の短絡をより確実に防止し、また両プリント配線基板間の機械的な結合強度をより強固にすることが可能であり、更に噴流半田の噴流方向を考慮する必要がないプリント配線基板の提供を目的とする。また本発明はそのようなプリント配線基板を他のプリント配線基板に取り付けるための構造の提供をも目的とする。
【課題を解決するための手段】
【００１２】
本発明は端的には、一方のプリント配線基板の導電部に切り込み部又は貫通孔を設けることにより、噴流半田を通り抜けさせることができるようにしたものである。
【００１３】
本発明に係るプリント配線基板は、電子回路を含む本体から延出された延出部に形成された複数の導電部が他のプリント配線基板に半田付されて実装されるプリント配線基板において、前記複数の導電部それぞれに対応して前記延出部に切り込み部を設けたことを特徴とする。
【００１４】
このような本発明に係るプリント配線基板では、他のプリント配線基板に噴流半田により半田付けする際に、複数の導電部それぞれに対応して延出部に設けられた切り込み部を噴流半田が通り抜ける。
【００１５】
本発明に係るプリント配線基板は上記の発明において、前記切り込み部は前記複数の導電部それぞれに設けられていることを特徴とする。
【００１６】
このような本発明に係るプリント配線基板では上記の発明において、他のプリント配線基板に噴流半田により半田付けする際に、複数の導電部それぞれに設けられた切り込み部を噴流半田が通り抜ける。
【００１７】
本発明に係るプリント配線基板は上記の発明において、前記切り込み部の内側面が導電性の材料で覆われていることを特徴とする。
【００１８】
このような本発明に係るプリント配線基板では上記の発明において、他のプリント配線基板に噴流半田により半田付けする際に、切り込み部の内側面が導電性の材料で覆われているので、噴流半田がこの部分にも塗着する。
【００１９】
本発明に係るプリント配線基板は、電子回路を含む本体から延出された延出部に形成された複数の導電部が他のプリント配線基板に半田付けされて実装されるプリント配線基板において、前記複数の導電部それぞれに貫通孔を設けたことを特徴とする。
【００２０】
このような本発明に係るプリント配線基板では、他のプリント配線基板に噴流半田により半田付けする際に、複数の導電部それぞれに設けられた貫通孔を噴流半田が通り抜ける。
【００２１】
本発明に係るプリント配線基板は上記の発明において、前記貫通孔の内側面が導電性の材料で覆われていることを特徴とする。
【００２２】
このような本発明に係るプリント配線基板では上記の発明において、他のプリント配線基板に噴流半田により半田付けする際に、貫通孔の内側面にも噴流半田が塗着する。
【００２３】
本発明に係るプリント配線基板は、他のプリント配線基板の電子回路を含む本体から延出された延出部が挿入されるスリットを有し、該スリットの周囲に形成された複数の導電部が前記他のプリント配線基板に半田付けされる前記他のプリント配線基板を実装するプリント配線基板において、前記スリットの周囲に形成された複数の導電部それぞれに切り込み及び／又は貫通孔を設けたことを特徴とする。
【００２４】
このような本発明に係るプリント配線基板では、他のプリント配線基板を噴流半田により半田付けする際に、複数の導電部それぞれに設けられた切り込み部及び／又は貫通孔を噴流半田が通り抜ける。
【００２５】
本発明に係るプリント配線基板は上記の発明において、前記切り込み部及び／又は貫通孔の内側面が導電性の材料で覆われていることを特徴とする。
【００２６】
このような本発明に係るプリント配線基板では上記の発明において、他のプリント配線基板を噴流半田により半田付けする際に、切り込み部及び／又は貫通孔の内側面にも噴流半田が塗着する。
【００２７】
本発明に係るプリント配線基板の取り付け構造は、前述のいずれか一つのプリント配線基板の前記延出部が挿入されるスリットと、該スリットに前記延出部が挿入された場合に前記延出部に形成された複数の導電部とそれぞれ半田付けされる複数の導電部とを前記他のプリント配線基板に設け、前記スリットに前記延出部が挿入された場合に前記切り込み部が前記他のプリント配線基板の表面に凹部を形成するようにしたことを特徴とする。
【００２８】
このような本発明に係るプリント配線基板の取り付け構造では、前記のいずれか一つのプリント配線基板の延出部が他のプリント配線基板に設けられたスリットに挿入された状態では、切り込み部の底部が他のプリント配線基板上で凹部になり、この部分にも噴流半田が流れ込む。
【００２９】
また本発明に係るプリント配線基板の取り付け構造は、前述のいずれかのプリント配線基板の前記延出部が挿入されるスリットと、該スリットに前記延出部が挿入された場合に前記延出部に形成された複数の導電部とそれぞれ半田付けされる複数の導電部とを前記他のプリント配線基板に設け、前記スリットに前記延出部が挿入された場合に前記貫通孔が前記他のプリント配線基板の表面に凹部を形成するようにしたことを特徴とする。
【００３０】
このような本発明に係るプリント配線基板の取り付け構造では、前記のいずれかのプリント配線基板の延出部が他のプリント配線基板に設けられたスリットに挿入された状態では、貫通孔の底部が他のプリント配線基板上で凹部になり、この部分にも噴流半田が流れ込む。
【発明の効果】
【００３１】
本発明に係るプリント配線基板によれば、他のプリント配線基板に噴流半田により半田付けされる際に、複数の導電部それぞれに対応して延出部に設けられた切り込み部を噴流半田が通り抜けるので、導電部間の短絡が生じる虞が小さくなる。
【００３２】
また本発明に係るプリント配線基板によれば上記の発明において、他のプリント配線基板に噴流半田により半田付けされる際に、複数の導電部それぞれに設けられた切り込み部を噴流半田が通り抜けるので、導電部間の短絡が生じる虞が小さくなると共に、いずれの方向からも噴流半田を噴流させることが可能になる。
【００３３】
また本発明に係るプリント配線基板によれば上記の発明において、他のプリント配線基板に噴流半田により半田付けされる際に、切り込み部の内側面にも噴流半田が塗着するので、単なる芋付け状態ではない機械的強度が非常に大きい半田付け状態が得られる。
【００３４】
更に本発明に係るプリント配線基板によれば、他のプリント配線基板に噴流半田により半田付けされる際に、複数の導電部それぞれに設けられた貫通孔を噴流半田が通り抜けるので、導電部間の短絡が生じる虞が小さくなると共に、いずれの方向からも噴流半田を噴流させることが可能になる。
【００３５】
また本発明に係るプリント配線基板によれば上記の発明において、他のプリント配線基板に噴流半田により半田付けされる際に、貫通孔の内側面にも噴流半田が塗着するので、単なる芋付け状態ではない機械的強度が非常に大きい半田付け状態が得られる。
【００３６】
更に本発明に係るプリント配線基板によれば、他のプリント配線基板を噴流半田により半田付けする際に、複数の導電部それぞれに設けられた切り込み部及び／又は貫通孔を噴流半田が通り抜けるので、導電部間の短絡が生じる虞が小さくなる。
【００３７】
また本発明に係るプリント配線基板によれば上記の発明において、他のプリント配線基板を噴流半田により半田付けする際に、切り込み部及び／又は貫通孔の内側面にも噴流半田が塗着するので、単なる芋付け状態ではない機械的強度が非常に大きい半田付け状態が得られる。
【００３８】
また本発明に係るプリント配線基板の取り付け構造によれば、前記のいずれか一つのプリント配線基板が他のプリント配線基板に噴流半田により半田付けされる際に、延出部が他のプリント配線基板に設けられたスリットに挿入された状態で切り込み部により他のプリント配線基板上に形成される凹部にも噴流半田が流れ込むので、より機械的強度が大きい半田付け状態が得られる。
【００３９】
また本発明に係るプリント配線基板によれば、前記のいずれかのプリント配線基板が他のプリント配線基板に噴流半田により半田付けされる際に、延出部が他のプリント配線基板に設けられたスリットに挿入された状態で貫通孔により他のプリント配線基板上に形成される凹部にも噴流半田が流れ込むので、より機械的強度が大きい半田付け状態が得られる。
【発明を実施するための最良の形態】
【００４０】
以下、本発明をその実施の形態を示す図面を参照して具体的に説明する。図１は本発明に係るプリント配線基板の第１の実施の形態の一構成例を示す模式図である。以下においては、比較的大きなプリント配線基板を第２基板２０とし、この第２基板２０に固定されて実装される比較的小さなプリント配線基板を第１基板１０とする。なお、第２基板２０はいわゆるメインボードである。また、第１基板１０は第１の実施の形態においては本発明に係るプリント配線基板であり、たとえばＴＶチューナ等の電子回路が搭載されており、この第１基板１０が第２基板２０に実装される構成となる。
【００４１】
第１基板１０の縁辺の一辺の一部には、第２基板２０との電気的接続及び機械的結合のための延出部１４が設けられている。この延出部１４には所要の数の導電部１５が等間隔で形成されている。それぞれの導電部１５は等間隔で延出部１４に、延出部１４の延出方向とは逆方向に矩形状に切り込まれた形状に形成された切り込み部１６を中心として形成されている。より具体的には、各切り込み部１６の延出部１４に切り込まれた内側面と、この内側面に繋がる延出部１４の両側面の部分と、延出部１４の延出端部（以下、この端部を延出部１４の上端部といい、逆側を延出部１４の下端部という）の切り込み部１６の両側の部分とに公知の技術によって導電性材料で一体的に各導電部１５が形成されている。より端的には、各導電部１５は延出部１４の切り込み部１６が切り込まれた部分とその周辺部分とを覆うように形成されている。
【００４２】
なお、参照符号１８はストッパ部であり、図１には一つのみ示されているが、第１基板１０の延出部１４が形成されている一辺の両側部にそれぞれ形成されている。このストッパ部１８は第１基板１０の延出部１４が形成されている一辺の両側部を各切り込み部１６の切り込み深さよりも更に若干深く欠き取った形状に形成されている。
【００４３】
一方、第２基板２０には第１基板１０の延出部１４を挿通して貫通させることが可能なスリット２１が設けられている。このスリット２１は、第１基板１０の延出部１４の延出方向と直交する方向の断面形状と実質的に同一の形状の開口である。また、この第２基板２０の一方の面（第２基板２０のスリット２１に第１基板１０の延出部１４が挿入された場合に延出部１４の上端部が突出する側の面、以下この面を第２基板２０の上面といい、逆側の面を第２基板２０の下面という）のスリット２１の周囲にも、公知の技術を利用して導電性材料で導電部２２が形成されている。
【００４４】
なお、第２基板２０側の導電部２２は、第１基板１０が第２基板２０のスリット２１に挿入された場合に、図１に破線にて示すように、第１基板１０の延出部１４に形成されている複数の導電部１５とそれぞれ対応する位置に複数が形成されている。
【００４５】
図２は第２基板２０のスリット２１に第１基板１０の延出部１４が挿入された状態を模式的に示す斜視図である。また図３は図２の状態を第１基板１０の延出部１４に沿って第２基板２０を切断した状態、即ちＡ−Ａ線での状態を示す縦断面図である。
【００４６】
第２基板２０のスリット２１に第１基板１０の延出部１４が、ストッパ部１８が第２基板２０の下面に当接するまで挿入された場合、各切り込み部１６はその底面（延出部１４の最下端部よりの端面）が第２基板２０の板厚の範囲内、換言すれば第２基板２０の上下面の間の位置になる。なお、図２、図３の左側に示されている参照符号２３については後述する。
【００４７】
ストッパ部１８が第２基板２０の下面に当接するまで第２基板２０のスリット２１に第１基板１０の延出部１４が挿入された場合、上述したように各切り込み部１６はその底面が第２基板２０の板厚の範囲内になるように形成されているので、第２基板２０の上面には各切り込み部１６の部分に凹部１３が形成される状態になる。但し、前述した如く、各切り込み部１６の底面は、ストッパ部１８が第２基板２０の下面に当接するまで第２基板２０のスリット２１に第１基板１０の延出部１４が挿入された場合に、第２基板２０の板厚の範囲内になるので、第２基板２０の上面に各切り込み部１６によって形成される凹部１３が第２基板２０の下面に貫通することはない。
【００４８】
なお、いうまでもないが図２、図３に示す状態では、第２基板２０の延出部１４に形成された各導電部１５の切り込み部１６を挟んだ両側の部分が第１基板１０のスリット２１の周囲の一側部に形成された各導電部２２と接触する状態になっている。
【００４９】
そして、図２、図３に示す状態で噴流半田により半田付けを行なうと、第１基板１０の切り込み部１６に半田が流れ込んで図２及び図３の左側部に参照符号２３にて模式的に示すように半田塊が固着するので、第１基板１０の各導電部２２と第１基板１０の各導電部１５の切り込み部１６を挟んだ両側の部分とが半田付けされることになる。この際、特に注目すべき点は、各切り込み部１６の底部によって第１基板１０上に形成される凹部１３にも噴流半田が流れ込んで、半田塊２３が固着することである。これにより、第１基板１０と第２基板２０とは単なる芋付け状態ではない状態に半田付けされるので、非常に強固な機械的強度で固着されることになる。
【００５０】
また、噴流半田は各切り込み部１６を通り抜けるので、第１基板１０の延出部１４に設けられた隣接する導電部１５同士が半田で短絡される虞は非常に少ない。更に、図２に示されている状態の第１基板１０の背後側から噴流半田が流されたとしても、噴流半田は各切り込み部１６を通り抜けて第１基板１０の背後側から手前側へ流れ出すので、図２の左側部に示す状態に半田付けが行なわれることになる。
【００５１】
ところで、上述の実施の形態では第１基板１０の延出部１４に矩形状の切り込み部１６を設け、この切り込み部１６を中心として導電部１５を形成しているが、このような構成に限る必要はない。たとえば、切り込み部１６は各導電部１５には設けずに各導電部１５間の部分１７に設けてもよい。この場合には、噴流半田の噴流の方向は限定される（図２の場合では第１基板１０の手前側から背後側へ）が、また導電部１５内に凹部１３が形成されないことになるので固着の機械的強度は若干低下する。しかし、少なくとも隣接する導電部１５同士が半田で短絡される虞は大きく低下する。
【００５２】
また、切り込み部１６及び導電部１５は等間隔である必要は必ずしもない。更に、切り込み部１６の形状は矩形状には限定されない。即ち、切り込み部１６は、矩形状に代えてたとえば半円形でもよいし、逆三角形でもよいし、台形でもよい。しかし、製造コスト面からは切り込み部１６の形状は半円形が最も有利である。以下に、第１基板１０の延出部１４に半円形の切り込み部１６を形成する手法について説明する。
【００５３】
図４は第１基板１０に半円形の切り込み部１６を形成する手順を示す模式図である。まず、図４（ａ）に示すように、第１基板１０を凸の字状に形成することによって延出部１４の母部１４’を形成することにより同時にストッパ部１８も形成する。そして、母部１４’の延出部１４の上端部になるべき位置（図に一点鎖線にて示す）を中心として円形の貫通孔１６’を等間隔で形成する。
【００５４】
円形の貫通孔１６’が形成された延出部１４の母部１４’は次に、延出部１４の上端部となるべき位置で切断される。これにより、図４（ｂ）に示すように、延出部１４が形成されると共に、半円形の切り込み部１６が形成される。そして、各切り込み部１６の内側面及びその周辺の延出部１４の部分に公知の技術により導電性材料で導電部１５を形成する。
【００５５】
従って、図４（ａ）に示す状態において、貫通孔１６’をどのような形状にするかによって、延出部１４に形成される切り込み部１６の形状を任意に選択することが可能になる。この場合、切り込み部１６を半円形にすることが導電部１５の形成等を考慮すると最も製造コストを低くすることが可能である。
【００５６】
なお、図４（ａ）に示す状態において、隣接する貫通孔１６’間の部分に導電部１５を形成することも可能である。この場合には、図４（ｃ）に示すように、各導電部１５間に半円形の切り込み部１６が形成されることになる。
【００５７】
次に、本発明に係るプリント配線基板の第２の実施の形態について図面を参照して具体的に説明する。図５は本発明に係るプリント配線基板の第２の実施の形態の一構成例を示す模式図である。比較的大きなプリント配線基板である第２基板２０の構成に関しては第１の実施の形態と同様である。また、第２基板２０に実装される比較的小さなプリント配線基板である第１基板１０の縁辺の一辺の一部に、第２基板２０との電気的接続及び機械的結合のための延出部１４が設けられており、この延出部１４に所要の数の導電部１５が等間隔で形成されていることも第１の実施の形態と同様である。
【００５８】
この第２の実施の形態が第１の実施の形態と異なる点は、それぞれの導電部１５に切り込み部１６に代えて円形の貫通孔１１が形成されていることである。より具体的には、各貫通孔１１の内側面と、この内側面に繋がる延出部１４の両側面の部分と、これらの両側面の部分を繋ぐ延出部１４の上端面の部分とに公知の技術により導電性材料で各導電部１５が一体的に形成されている。
【００５９】
なお、第１基板１０にストッパ部１８が設けられていることも第１の実施の形態と同様であり、ストッパ部１８は図５には一つのみ示されているが、第１基板１０の延出部１４が形成されている一辺の両側部にそれぞれ形成されていることも第１の実施の形態と同様である。更に、このストッパ部１８は第１基板１０の延出部１４が形成されている一辺の両側部を各貫通孔１１の延出部１４の最下端部寄りの位置よりも更に若干深く欠き取った形状に形成されている。
【００６０】
一方、第２基板２０には第１の実施の形態と同様に第１基板１０の延出部１４を挿通して貫通させることが可能なスリット２１が設けられている。このスリット２１は、第１基板１０の延出部１４の延出方向と直交する方向の断面形状と実質的に同一の形状の開口である。また、この第２基板２０の上面のスリット２１の周囲にも、公知の技術を利用して導電性材料で導電部２２が形成されている。
【００６１】
なお、第２基板２０側の導電部２２は、第１基板１０が第２基板２０のスリット２１に挿入された場合に、図５に破線にて示すように、第１基板１０の延出部１４に形成されている複数の導電部１５とそれぞれ対応する位置に複数が形成されている。
【００６２】
図６は第２基板２０のスリット２１に第１基板１０の延出部１４が挿入された状態を模式的に示す斜視図である。また図７は図６の状態を第１基板１０の延出部１４に沿って第２基板２０を切断した状態、即ちＢ−Ｂ線での状態を示す縦断面図である。
【００６３】
第２基板２０のスリット２１に第１基板１０の延出部１４が、ストッパ部１８が第２基板２０の下面に当接するまで挿入された場合、各貫通孔１１はその底面（延出部１４の最下端部よりの端部）が第２基板２０の板厚の範囲内、換言すれば第２基板２０の上下面の間の位置になる。なお、図６、図７の左側に示されている参照符号２３については後述する。
【００６４】
ストッパ部１８が第２基板２０の下面に当接するまで第２基板２０のスリット２１に第１基板１０の延出部１４が挿入された場合、上述したように各貫通孔１１はその底面が第２基板２０の板厚の範囲内になるように形成されているので、第２基板２０の上面には各貫通孔１１の部分に凹部１２が形成される状態になる。但し、前述した如く、各貫通孔１１の底面は、ストッパ部１８が第２基板２０の下面に当接するまで第２基板２０のスリット２１に第１基板１０の延出部１４が挿入された場合に、第２基板２０の板厚の範囲内になるので、第２基板２０の上面に各貫通孔１１によって形成される凹部１２が第２基板２０の下面に貫通することはない。
【００６５】
なお、いうまでもないが図６、図７に示す状態では、第２基板２０の延出部１４に形成された各導電部１５が第１基板１０のスリット２１の周囲の一側部に形成された各導電部２２と接触する状態になっている。
【００６６】
そして、図６、図７に示す状態で噴流半田により半田付けを行なうと、第１基板１０の貫通孔１１に半田が流れ込んで図６及び図７の左側部に参照符号２３にて模式的に示すように半田塊が固着するので、第１基板１０の各導電部２２と第１基板１０の各導電部１５とが半田付けされることになる。この際、特に注目すべき点は、各貫通孔１１の底部によって第１基板１０上に形成される凹部１２にも噴流半田が流れ込んで、半田塊２３が固着することである。これにより、第１基板１０と第２基板２０とは単なる芋付け状態ではない状態に半田付けされるので、非常に強固な機械的強度で固着されることになる。
【００６７】
また、噴流半田は各貫通孔１１を通り抜けるので、第１基板１０の延出部１４に設けられた隣接する導電部１５同士が半田で短絡される虞は非常に少ない。更に、図６に示されている状態の第１基板１０の背後側から噴流半田が流されたとしても、噴流半田は各貫通孔１１を通り抜けて第１基板１０の背後側から手前側へ流れ出すので、図６、図７の左側部に示す状態に半田付けが行なわれることになる。
【００６８】
なお、上述の実施の形態では第１基板１０の延出部１４に円形の貫通孔１１を設けているが、貫通孔の形状は円形に限られることはなく、矩形、三角形、台形、楕円形等であってもよい。
【００６９】
次に、本発明に係るプリント配線基板の第３の実施の形態について図面を参照して具体的に説明する。図８（ａ）は本発明に係るプリント配線基板の第３の実施の形態の一構成例を示す模式図である。この第３の実施の形態では、第２基板２０が本発明に係るプリント配線基板である。
【００７０】
第２基板２０のスリット２１の周囲に設けられている導電部２２に、第１の実施の形態の切り込み部１６に相当する切り込み部２６、又は第２の実施の形態の貫通孔１１に相当する貫通孔２４がそれぞれ形成されている。なお、この第３の実施の形態の第１基板１０は、延出部１４に導電部１５が形成されたのみの構成でよい。
【００７１】
図８（ｂ）は第２基板２０のスリット２１に第１基板１０を挿入した状態を図８（ａ）のＣ−Ｃ線で見た第２基板２０の縦断面図である。第２基板２０のスリット２１に第１基板１０を挿入して両側から噴流半田付けを行なうと、第１基板１０の導電部１５と第２基板２０の導電部２２に形成された切り込み部２６、貫通孔２４との間に半田が塗着し、冷却すると固着する。この場合、半田塊２３は第２基板２０の導電部２２に形成された切り込み部２６、貫通孔２４との間にも流れ込んで第２基板２０の導電部２２と第１基板１０の導電部１５とを一体的に半田付けするので、機械的な強度が非常に高くなる。
【００７２】
従って、この第３の実施の形態においても、第２基板２０のスリット２１に第１基板１０の延出部１４を挿通させた状態で、いずれの側から噴流半田を噴流させてもよいことになる。また第１基板１０と第２基板２０とは相互の導電部１５と２２とが単に芋付けされた場合に比して非常に強固な機械的強度で結合される。
【００７３】
なお、図８に示した第３の実施の形態では、第２基板２０の導電部２２に切り込み部２６と貫通孔２４との双方を形成して両側から噴流半田を噴流させた場合を示したが、これはあくまでも説明のためであり、いずれか一方のみでよいことはいうまでもない。但し、図８に示したように、切り込み部２６と貫通孔２４との双方を形成してもよいことはいうまでもない。
【図面の簡単な説明】
【００７４】
【図１】本発明に係るプリント配線基板の第１の実施の形態の一構成例を示す模式図である。
【図２】第２基板のスリットに第１基板の延出部が挿入された状態を模式的に示す斜視図である。
【図３】図２の状態のＡ−Ａ線での状態を示す縦断面図である。
【図４】第１基板に半円形の切り込み部を形成する手順を示す模式図である。
【図５】本発明に係るプリント配線基板の第２の実施の形態の一構成例を示す模式図である。
【図６】第２基板のスリットに第１基板の延出部が挿入された状態を模式的に示す斜視図である。
【図７】図６の状態のＢ−Ｂ線での状態を示す縦断面図である。
【図８】本発明に係るプリント配線基板の第３の実施の形態の一構成例を示す模式図である。
【図９】従来技術を説明するための模式図である。
【符号の説明】
【００７５】
１０  第１基板
１１  貫通孔
１２  凹部
１３  凹部
１４  延出部
１５  導電部
１６  切り込み部
１８  ストッパ部
２０  第２基板
２１  スリット
２２  導電部
２３  半田塊
【図１】
2006269550.tif 000003
【図２】
2006269550.tif 000004
【図３】
2006269550.tif 000005
【図４】
2006269550.tif 000006
【図５】
2006269550.tif 000007
【図６】
2006269550.tif 000008
【図７】
2006269550.tif 000009
【図８】
2006269550.tif 000010
【図９】
2006269550.tif 000011